(57)【要約】  本発明は、基板生産ライン（２）を管理する基板生産管理装置（１）であって、基板生産ラインで発生し得てかつ対処作業を必要とする問題事象、対処作業の候補となる解決策、および解決策を実施してよい作業者に設定された設定権限レベルを対応付けて記憶した解決策記憶部（解決策データベース１４）と、対処作業を実施する作業者が有する実施権限レベルを認証する権限認証部（５１）と、問題事象が発生したときに、実施権限レベル以下の設定権限レベルに対応する実施可能な解決策と、実施権限レベルを超えた設定権限レベルに対応する実施不能な解決策と、を分けて通知する解決策通知部（５２）と、を備えた。これによれば、経験の浅い作業者が実施に慎重を期すべき解決策を軽率に実施して別の問題事象を引き起こしてしまうおそれがなく、結果として問題事象の早期の解消に寄与できる。
2018020556.tif 000002
【特許請求の範囲】
【請求項１】
電子部品を実装した基板を生産する基板生産ライン、または前記基板生産ラインを構成する基板生産装置を管理する基板生産管理装置であって、
前記基板生産ラインまたは前記基板生産装置で発生し得てかつ対処作業を必要とする問題事象、前記対処作業の候補となる解決策、および前記解決策を実施してよい作業者に設定された権限レベルである設定権限レベルを対応付けて記憶した解決策記憶部と、
前記対処作業を実施する作業者が有する権限レベルである実施権限レベルを認証する権限認証部と、
前記問題事象が発生したときに、前記実施権限レベル以下の設定権限レベルに対応する実施可能な解決策と、前記実施権限レベルを超えた設定権限レベルに対応する実施不能な解決策と、を分けて通知する解決策通知部と、
を備えた基板生産管理装置。
【請求項２】
前記作業者の要請に応じて、前記実施不能な解決策に対応する設定権限レベル以上の実施権限レベルを有する上位者に前記問題事象の発生を通知する上位者通知部をさらに備えた請求項１に記載の基板生産管理装置。
【請求項３】
前記作業者が前記実施不能な解決策を代行する申請をしたとき、前記実施不能な解決策に対応する設定権限レベル以上の実施権限レベルを有する上位者に前記申請を通知する代行申請部と、
前記上位者が前記申請を承認したとき、前記作業者が前記実施不能な解決策を代行することを許可する代行承認部と、
をさらに備えた請求項１または２に記載の基板生産管理装置。
【請求項４】
電子部品を実装した基板を生産する基板生産ライン、または前記基板生産ラインを構成する基板生産装置を管理する基板生産管理装置であって、
前記基板生産ラインまたは前記基板生産装置で発生し得てかつ対処作業を必要とする問題事象、前記対処作業の候補となる解決策、および前記解決策が前記問題事象の解消に寄与する効果率を対応付けて記憶した解決策記憶部と、
前記対処作業を実施する作業者が有する権限レベルである実施権限レベルを認証する権限認証部と、
前記問題事象が発生したときに、前記作業者の前記実施権限レベル、前記作業者によって実施された解決策、および前記実施された解決策によって得られた効果量を対応付けて収集する効果量収集部と、
前記作業者の前記実施権限レベルの高低に応じて学習係数の大小を設定し、前記得られた効果量に前記学習係数を乗じて前記効果率にフィードバックすることにより、前記実施された解決策の前記効果率を修正する効果率学習部と、
を備えた基板生産管理装置。
【請求項５】
電子部品を実装した基板を生産する基板生産ライン、または前記基板生産ラインを構成する基板生産装置を管理する基板生産管理方法であって、
前記基板生産ラインまたは前記基板生産装置で発生し得てかつ対処作業を必要とする問題事象、前記対処作業の候補となる解決策、および前記解決策を実施してよい作業者に設定された権限レベルである設定権限レベルを対応付けて記憶する解決策記憶ステップと、
前記対処作業を実施する作業者が有する権限レベルである実施権限レベルを認証する権限認証ステップと、
前記問題事象が発生したときに、前記実施権限レベル以下の設定権限レベルに対応する実施可能な解決策と、前記実施権限レベルを超えた設定権限レベルに対応する実施不能な解決策と、を分けて表示する解決策通知ステップと、
を備えた基板生産管理方法。
【請求項６】
電子部品を実装した基板を生産する基板生産ライン、または前記基板生産ラインを構成する基板生産装置を管理する基板生産管理方法であって、
前記基板生産ラインまたは前記基板生産装置で発生し得てかつ対処作業を必要とする問題事象、前記対処作業の候補となる解決策、および前記解決策が前記問題事象の解消に寄与する効果率を対応付けて記憶する解決策記憶ステップと、
前記対処作業を実施する作業者が有する権限レベルである実施権限レベルを認証する権限認証ステップと、
前記問題事象が発生したときに、前記作業者の前記実施権限レベル、前記作業者によって実施された解決策、および前記実施された解決策によって得られた効果量を対応付けて収集する効果量収集ステップと、
前記作業者の前記実施権限レベルの高低に応じて学習係数の大小を設定し、前記得られた効果量に前記学習係数を乗じて前記効果率にフィードバックすることにより、前記実施された解決策の前記効果率を修正する効果率学習ステップと、
を備えた基板生産管理方法。
【発明の詳細な説明】
【技術分野】
【０００１】
本発明は、基板生産ラインまたは基板生産装置を管理する基板生産管理装置に関し、より詳細には、基板生産ラインまたは基板生産装置において発生した問題事象に対処する複数の解決策の運用に関する。
【背景技術】
【０００２】
多数の電子部品が実装された基板を生産する装置として、はんだ印刷機、電子部品装着機、リフロー機、基板検査機などがある。これらの基板生産装置を連結して基板生産ラインを構成することが一般的になっている。基板生産ラインの稼動状況は、ホストコンピュータと呼ばれる基板生産管理装置によって管理されるのが一般的である。基板生産ラインでは、基板生産装置の動作異常や生産管理指標の低下などの問題事象が発生すると、作業者の対処作業が必要になる。この場合、ホストコンピュータは、問題事象の発生を通知して、対処作業の実施を要請する。【０００３】
ここで、対処作業の候補となる解決策は一般的には複数あり、問題事象に対応して適切な解決策を選択しないと効果的な対処作業とならない。例えば、経験の浅いオペレータは、問題事象の根本的な原因に気が付かず、効果的でない解決策をあれこれ試行することになりがちである。一方、熟練のエンジニアは、問題事象の発生状況を正確に把握して、精度の高い解決策を実施する。このように、問題事象を解消する対処作業に関し、作業者の熟練度に依存して実施する解決策の精度が異なる。【０００４】
また近年では、過去に発生した問題事象、実施された解決策、および解決策の効果量を収集および蓄積してナレッジ化する技術が普及しつつある。この種の技術は、学習システム、ナレッジシステム、人工知能などと呼ばれる。学習システムを、基板生産ラインの問題事象に適用することにより、過去の対処作業の経験が活かされて各解決策の効果率が向上し、適切な解決策の選択が容易になる。基板生産ラインの問題事象および解決策に関する技術例が特許文献１〜４に開示されている。【０００５】
特許文献１は、基板生産ラインにおける作業に従事するオペレータの作業意欲の向上を支援するシステムを開示している。このシステムは、オペレータの熟練度を特定する熟練度特定手段と、オペレータの作業効率の向上に資する情報をオペレータに提供する情報提供手段とを備え、情報提供手段が、オペレータの熟練度に応じて、提供する情報の類別を異なるものとする。これによれば、自身のスキルアップに役立つより高度な情報を得たいという欲求がオペレータに生じて、作業意欲の向上を支援できる、とされている。【０００６】
また、特許文献２のトラブル診断システムは、監視部と、データベースと、診断部とを具備する。監視部は、トラブル発生前の所定期間のデータの変化パターンをコード化してパターンコードを生成する。データベースは、パターンコードと、トラブルの発生原因と、同一パターンコードにおける同一トラブルの発生頻度とを蓄積する。診断部は、トラブル発生時のパターンコードをデータベース内で検索して、発生頻度の高い順にトラブルの発生原因を提示する。これによれば、トラブルの発生原因を短時間で発見できる、とされている。これは、学習システムの１種であり、基板生産ラインを対象とする学習システムの技術は、特許文献３、４にも開示されている。
【先行技術文献】
【特許文献】
【０００７】
【特許文献１】特開２０１５−１８４８８４号公報
【特許文献２】特開平４−１６１８２３号公報
【特許文献３】特開２０１４−６３２８６号公報
【特許文献４】特開平７−７２６２号公報
【発明の概要】
【発明が解決しようとする課題】
【０００８】
ところで、基板生産ラインの問題事象に対処する複数の解決策の候補の中には、実施できる条件が制約されている解決策や、動作条件を一度変更してしまうと元の動作条件に復帰することが困難な解決策がある。例えば、停止した基板の位置の基準となる座標系を求め直す再キャリブレーションの解決策は、製品用の基板が搬入されているときには実施できず、時間も長くかかり、再キャリブレーションの実施後に元の座標系に戻すことが困難となる。したがって、経験の浅いオペレータが軽率に再キャリブレーションを実施すると、別の問題事象を引き起こしてしまうおそれが生じる。つまり、解決策の候補の中には、実施に慎重を期すべき解決策がある。【０００９】
また、学習システムを基板生産ラインの問題事象に適用する場合に、熟練のエンジニアが実施した解決策は十分に参考となる。しかしながら、経験の浅いオペレータが実施した解決策、換言すると無駄になりがちな解決策を同等に評価して学習を行うと、精度の向上が見込めない。換言すると、各解決策の効果率の精度が向上しない。したがって、実施された解決策を基にして学習を行う際に、解決策を実施した作業者の熟練度を考慮することが望ましい。【００１０】
本発明は、上記背景技術の問題点に鑑みてなされたものであり、基板生産ラインの問題事象に対処する複数の解決策を適切に運用することにより、問題事象の早期の解消に寄与できる基板生産管理装置および基板生産管理方法を提供することを解決すべき課題とする。
【課題を解決するための手段】
【００１１】
本明細書で開示する基板生産管理装置は、電子部品を実装した基板を生産する基板生産ライン、または前記基板生産ラインを構成する基板生産装置を管理する基板生産管理装置であって、前記基板生産ラインまたは前記基板生産装置で発生し得てかつ対処作業を必要とする問題事象、前記対処作業の候補となる解決策、および前記解決策を実施してよい作業者に設定された権限レベルである設定権限レベルを対応付けて記憶した解決策記憶部と、前記対処作業を実施する作業者が有する権限レベルである実施権限レベルを認証する権限認証部と、前記問題事象が発生したときに、前記実施権限レベル以下の設定権限レベルに対応する実施可能な解決策と、前記実施権限レベルを超えた設定権限レベルに対応する実施不能な解決策と、を分けて通知する解決策通知部と、を備えた。【００１２】
また、本明細書で開示する別の基板生産管理装置は、電子部品を実装した基板を生産する基板生産ライン、または前記基板生産ラインを構成する基板生産装置を管理する基板生産管理装置であって、前記基板生産ラインまたは前記基板生産装置で発生し得てかつ対処作業を必要とする問題事象、前記対処作業の候補となる解決策、および前記解決策が前記問題事象の解消に寄与する効果率を対応付けて記憶した解決策記憶部と、前記対処作業を実施する作業者が有する権限レベルである実施権限レベルを認証する権限認証部と、前記問題事象が発生したときに、前記作業者の前記実施権限レベル、前記作業者によって実施された解決策、および前記実施された解決策によって得られた効果量を対応付けて収集する効果量収集部と、前記作業者の前記実施権限レベルの高低に応じて学習係数の大小を設定し、前記得られた効果量に前記学習係数を乗じてフィードバックすることにより、前記実施された解決策の前記効果率を修正する効果率学習部と、を備えた。【００１３】
本明細書で開示する基板生産管理方法は、電子部品を実装した基板を生産する基板生産ライン、または前記基板生産ラインを構成する基板生産装置を管理する基板生産管理方法であって、前記基板生産ラインまたは前記基板生産装置で発生し得てかつ対処作業を必要とする問題事象、前記対処作業の候補となる解決策、および前記解決策を実施してよい作業者に設定された権限レベルである設定権限レベルを対応付けて記憶する解決策記憶ステップと、前記対処作業を実施する作業者が有する権限レベルである実施権限レベルを認証する権限認証ステップと、前記問題事象が発生したときに、前記実施権限レベル以下の設定権限レベルに対応する実施可能な解決策と、前記実施権限レベルを超えた設定権限レベルに対応する実施不能な解決策と、を分けて表示する解決策通知ステップと、を備えた。【００１４】
また、本明細書で開示する別の基板生産管理方法は、電子部品を実装した基板を生産する基板生産ライン、または前記基板生産ラインを構成する基板生産装置を管理する基板生産管理方法であって、前記基板生産ラインまたは前記基板生産装置で発生し得てかつ対処作業を必要とする問題事象、前記対処作業の候補となる解決策、および前記解決策が前記問題事象の解消に寄与する効果率を対応付けて記憶する解決策記憶ステップと、前記対処作業を実施する作業者が有する権限レベルである実施権限レベルを認証する権限認証ステップと、前記問題事象が発生したときに、前記作業者の前記実施権限レベル、前記作業者によって実施された解決策、および前記実施された解決策によって得られた効果量を対応付けて収集する効果量収集ステップと、前記作業者の前記実施権限レベルの高低に応じて学習係数の大小を設定し、前記得られた効果量に前記学習係数を乗じて前記効果率にフィードバックすることにより、前記実施された解決策の前記効果率を修正する効果率学習ステップと、を備えた。
【発明の効果】
【００１５】
本明細書で開示する基板生産管理装置において、解決策通知部は、問題事象が発生したときに、作業者の実施権限レベルと解決策の設定権限レベルとを比較して、作業者が実施可能な解決策と、作業者が実施不能な解決策とを分けて通知する。ここで、実施に慎重を期すべき解決策は、高い設定権限レベルが設定されている。したがって、経験の浅い作業者が実施に慎重を期すべき解決策を軽率に実施して別の問題事象を引き起こしてしまうおそれがなく、結果として問題事象の早期の解消に寄与できる。【００１６】
また、本明細書で開示する別の基板生産管理装置において、効果率学習部は、作業者の実施権限レベルの高低に応じて学習係数の大小を設定し、得られた効果量に学習係数を乗じてフィードバックすることにより、実行された解決策の効果率を修正する。つまり、実施権限レベルの高い作業者が実施した精度の高い解決策に大きな学習係数を乗じ、実施権限レベルの低い作業者が実施した精度の低い解決策に小さな学習係数を乗じて、効果率を修正する。これにより、精度の高い解決策が重点的にナレッジ化されて効果率の精度が高められ、問題事象の早期の解消に寄与できる。【００１７】
さらに、本明細書で開示する基板生産管理方法は、本明細書で開示する基板生産管理装置と同様の作用が生じて、問題事象の早期の解消に寄与できる。また、本明細書で開示する別の基板生産管理方法は、本明細書で開示する別の基板生産管理装置と同様の作用が生じて、問題事象の早期の解消に寄与できる。
【図面の簡単な説明】
【００１８】
【図１】実施形態の基板生産管理装置の構成を基板生産ラインと共に模式的に示した図である。
【図２】問題事象の発生から解決策の実施までを示す基板生産管理装置の処理フローの前半の図である。
【図３】解決策の実施以降から効果率の修正までを示す基板生産管理装置の処理フローの後半の図である。
【図４】解決策通知部の通知内容の一例を表示した画面例の図である。
【図５】効果率学習部の機能を模式的に説明する図であり、上位者が対処作業を実施した場合を例示している。
【図６】効果率学習部の機能を模式的に説明する図であり、オペレータが対処作業を実施した場合を例示している。
【発明を実施するための形態】
【００１９】
（１．実施形態の基板生産管理装置１および基板生産ライン２の構成）
本発明の実施形態の基板生産管理装置１について、図１〜図６を参考にして説明する。図１は、実施形態の基板生産管理装置１の構成を基板生産ライン２と共に模式的に示した図である。例示された基板生産ライン２は、６台の基板生産装置によって構成されている。具体的に、基板生産ライン２は、はんだ印刷機２１、はんだ検査機２２、第１電子部品装着機２３、第２電子部品装着機２４、基板外観検査機２５、およびリフロー機２６が列設されて構成されている。
【００２０】
はんだ印刷機２１は、基板の所定位置にペースト状のはんだを印刷する。はんだ印刷機２１は、例えば、基板搬送装置、基板上に載置されるスクリーン、およびスクリーン上を移動してはんだを塗布するスキージなどで構成される。はんだ検査機２２は、基板上のはんだの印刷状態の良否を判定する。はんだ検査機２２は、例えば、基板搬送装置、印刷されたはんだを撮像して画像データを取得する撮像カメラ、および画像データを画像処理して良否を判定する画像判定部などで構成される。
【００２１】
第１電子部品装着機２３および第２電子部品装着機２４は、電子部品を基板に装着する。電子部品装着機２３、２４は、同一の構成であってもよいし、互いに異なる構成であってもよい。電子部品装着機２３、２４は、基板搬送装置、部品供給装置、部品移載装置、および部品カメラなどで構成される。部品供給装置は、例えば、複数のフィーダ装置がパレット上に列設されて構成される。各フィーダ装置は、多数の電子部品を保持したキャリアテープを巻回したリールを交換可能に保持する。部品移載装置は、電子部品を吸着する吸着ノズルを保持した装着ヘッド、およびヘッド駆動機構などを有する。部品移載装置は、部品供給装置から電子部品を吸着して、基板のはんだ上に装着する。部品カメラは、部品移載装置の吸着ノズルが電子部品を吸着した状態を撮像して画像データを取得し、画像データを画像処理して電子部品の吸着状態を確認する。
【００２２】
基板外観検査機２５は、基板に装着された電子部品の状態を検査する。基板外観検査機２５は、例えば、基板搬送装置、電子部品を撮像して画像データを取得する撮像カメラ、および画像データを画像処理して良否を判定する画像判定部などで構成される。リフロー機２６は、ペースト状のはんだを加熱して溶解させた後に冷却して、はんだ付けを確かなものにする。リフロー機２６は、例えば、基板搬送装置、加熱装置、および冷却装置などで構成される。
【００２３】
上記した基板生産ライン２の構成は変更可能であり、各基板生産装置の構造も変更可能である。基板生産ライン２には、ローリングタワー２７が付設されている。ローリングタワー２７は、基板生産ライン２において作業者による対処作業が必要になったことを表示する。すなわち、対処作業が必要になったとき、ローリングタワー２７は、上部の回転灯２８を点灯または点滅させつつ回転させる。基板生産ライン２と同じフロアにいるオペレータは、遠くからでも回転灯２８の点灯または点滅を視認できる。
【００２４】
実施形態の基板生産管理装置１は、基板生産ライン２の稼動状況を管理する。基板生産管理装置１は、ＣＰＵを有してソフトウェアで動作するコンピュータ装置であり、ホストコンピュータとも呼ばれる。基板生産管理装置１は、各種の表示を行う液晶ディスプレイなどの表示装置１１、各種の設定を行うキーボードやマウスなどの入力装置１２、およびメモリ装置１３などを具備している。基板生産管理装置１は、はんだ印刷機２１、はんだ検査機２２、第１電子部品装着機２３、第２電子部品装着機２４、基板外観検査機２５、およびリフロー機２６と個別に通信できるように接続されている。基板生産管理装置１は、ローリングタワー２７にも接続されており、ローリングタワー２７の表示を制御する。なお、基板生産管理装置１は、複数の基板生産ライン２をまとめて管理することもできる。
【００２５】
メモリ装置１３内には、解決策データベース１４が構築されている。解決策データベース１４は、本発明の解決策記憶部に相当する。解決策データベース１４は、過去に発生した問題事象、およびその対処作業で実施された解決策に基づいて構築される。解決策データベース１４は、問題事象、解決策、設定権限レベル、および解決策の効果率を対応付けて記憶している。
【００２６】
問題事象とは、基板生産ライン２で基板を生産できない異常状態、または、基板生産ライン２で基板を生産できていても生産管理指標が低下した状態を意味する。異常状態の例として、電子部品装着機２３、２４で電子部品を吸着できない吸着エラーが継続した状態、はんだ検査機２２や基板外観検査機２５において検査を行えない状態、基板を搬送できない状態などがある。生産管理指標が低下した状態の例として、稼動率の低下や、電子部品装着機２３、２４における吸着エラー率の増加、はんだ検査機２２や基板外観検査機２５における不合格基板の発生などがある。
【００２７】
解決策は、問題事象を解消するために実施する対処作業の候補となるものである。大多数の問題事象に対して解決策は複数有るが、どの解決策が効果的でどの解決策が無効であるかはケースバイケースである。設定権限レベルは、それぞれの解決策に設定されており、解決策を実施してよい作業者に設定された権限レベルである。本実施形態において、オペレータに設定された通常権限レベルＬ１、および上位者に設定された上位権限レベルＬ２の２種類がある。効果率は、解決策が問題事象の解消に寄与する割合を統計的にかつ定量的に評価した値である。効果率は、後述する効果率学習部５７によって適宜修正される。
【００２８】
基板生産管理装置１は、基板生産ライン２で問題事象が発生したときに動作する機能部として、権限認証部５１、解決策通知部５２、上位者通知部５３、代行申請部５４、代行承認部５５、効果量収集部５６、および効果率学習部５７を有する。これらの機能部の詳細な機能ついては、後の動作および作用の説明で詳述する。
【００２９】
また、基板生産管理装置１は、構内ＬＡＮ３を経由して多数のパソコン３１〜３２と通信接続されている。第１パソコン３１は、通常権限レベルＬ１が設定されたオペレータによって使用される。オペレータは、基板生産ライン２で基板を生産していると発生する通常作業を実施する。通常作業の例として、電子部品装着機２３、２４における電子部品の部品切れに応じた部品補給作業、はんだ印刷機２１におけるはんだ補給作業、生産する基板の種類の変更に伴う段取り替え作業などがある。
【００３０】
第２パソコン３２は、上位権限レベルＬ２が設定された上位者によって使用される。上位者として、基板生産ライン２の責任者であるラインエンジニアや、当該の基板生産ライン２に加えて他の基板生産ラインを含むフロア全体の責任者であるフロアマネージャなどが該当する。基板生産管理装置１とパソコン３１、３２との間、およびパソコン３１、３２の相互間では、メールアドレスを指定した電子メールによる通知が可能になっている。オペレータおよび上位者は、入力装置１２やパソコン３１、３２からログイン処理を行って、基板生産管理装置１にアクセスできる。
【００３１】
（２．実施形態の基板生産管理装置１の動作および作用）
実施形態の基板生産管理装置１の動作および作用の説明に移る。図２は、問題事象の発生から解決策の実施までを示す基板生産管理装置１の処理フローの前半の図である。また、図３は、解決策の実施以降から効果率の修正までを示す基板生産管理装置１の処理フローの後半の図である。図２および図３に関する以降の記載は、実施形態の基板生産管理方法の説明を兼ねている。なお、解決策データベース１４を予め構築しておくステップは、本発明の解決策記憶ステップに相当する。
【００３２】
図２のステップＳ１で、基板生産管理装置１は、基板生産ライン２に問題事象が発生したか否かを判別する。基板生産管理装置１は、問題事象が発生していない間ステップＳ１を繰り返して行い、問題事象が発生すると処理フローの実行をステップＳ２に進める。ステップＳ２で、基板生産管理装置１は、問題事象の発生を通知する。この通知は、表示装置１１に表示され、あるいは、電子メールで第１パソコン３１に送信されて表示される。さらに、基板生産管理装置１は、問題事象の発生をローリングタワー３７に表示する。オペレータは、問題事象の発生に気付くと、ステップＳ３でログイン処理を行う。これにより、基板生産管理装置１は、オペレータが対処作業を実施する作業者であると認識する。
【００３３】
次の権限認証ステップＳ４で、権限認証部５１は、オペレータの実施権限レベルを通常権限レベルＬ１と認証する。次の解決策通知ステップＳ５で、解決策通知部５２は、オペレータの通常権限レベルＬ１以下の設定権限レベルに対応する実施可能な解決策と、通常権限レベルＬ１を超えた設定権限レベルに対応する実施不能な解決策と、を分けて通知する。図４は、解決策通知部５２の通知内容の一例を表示した画面例の図である。図４の画面例は、表示装置１１および第１パソコン３１の少なくとも一方に表示される。
【００３４】
図４の画面例の最上段には「電子部品が見つからない」という問題事象が表示され、２段目には問題事象の発生箇所として「第１電子部品装着機」が表示されている。これは、第１電子部品装着機２３において、吸着ノズルがフィーダ装置から電子部品を吸着したはずであるのに、部品カメラの画像処理で電子部品が無いと判定されたことを表している。この問題事象に対応して、画面例の３段目以下に解決策が一覧表の形式で表示されている。
【００３５】
一覧表は、No.、解決策の内容、設定権限レベル、および効果率の４欄からなる。No.１〜２５の２５種類の解決策は、効果率Ｅ１の大きなものから効果率Ｅ２５の小さなものへと順番に並んでいる。効果率Ｅ１〜Ｅ２５は、実際には数値、例えば１〜０の範囲で表される。No.１〜１４およびNo.２４の解決策は、設定権限レベルが通常権限レベルＬ１に設定されており、これを意味する「Ｌ１」が表示されている。したがって、No.１〜１４およびNo.２４の解決策は、オペレータにより実施可能である。
【００３６】
No.１５〜２３およびNo.２５の解決策は、設定権限レベルが上位権限レベルＬ２に設定されており、これを意味する「Ｌ２」が表示されている。したがって、No.１５〜２３およびNo.２５の解決策は、通常は作業者により実施不能であり、上位者のみが実施できる。なお、設定権限レベルの欄を設けずに、各解決策の表示色の違いで設定権限レベルを表すようにしてもよい。
【００３７】
No.１〜８の８種類の解決策は、フィーダ装置の動作状況の確認に関する解決策である。No.９の解決策は、フィーダ装置を交換する解決策である。No.１０〜１４の５種類の解決策は、吸着ノズルの動作状況の確認に関する解決策である。No.２４の解決策は、部品カメラのレンズ汚れまたは落下部品の存在による撮像機能の低下に対処するという解決策である。通常権限レベルＬ１が設定されたこれらの解決策は、実施できる条件が制約されず、比較的短時間で容易に行え、解決策の実施前後で第１電子部品装着機２３の動作条件が変更されない。
【００３８】
一方、No.１５〜１７およびNo.２０〜２３の７種類の解決策は、第１電子部品装着機２３の動作条件を編集して変更する解決策である。オペレータがこれらの動作条件の編集を試みても、上位権限レベルＬ２が設定されてないので、動作条件の変更は禁止される。No.１８の解決策は、吸着ノズルを交換する解決策であり、例えば、ノズル径の変更を伴う。No.１９の解決策は、キャリアテープが巻回されたリールを交換する解決策である。この解決策では、同一仕様の電子部品であっても、部品ベンダーの違いによって部品条件が微妙に変化する可能性が有る。No.２５の解決策は、装着ヘッドをメンテナンスし、または交換する解決策である。
【００３９】
上位権限レベルＬ２が設定されたこれらの解決策は、実施できる条件が制約されていたり、動作条件を一度変更してしまうと元の動作条件に復帰することが困難であったりする。したがって、上位権限レベルＬ２の解決策は、実施に慎重を期すべき解決策であり、通常はオペレータに実施不能となっている。ただし、本実施形態では、後述する代行申請の承認により、オペレータが上位権限レベルＬ２の解決策を代行する場合が有る。
【００４０】
図４の画面例の最下段には、「上位者通知」というソフトウェアスイッチが設けられている。また、設定権限レベルの欄の上位権限レベルＬ２を意味する「Ｌ２」もソフトウェアスイッチとなっている。
【００４１】
図４の画面例が表示された時点で、オペレータは３つの選択肢の採否を検討する。オペレータは、問題事象が難しく独力での解消が困難と思われるときに、第１の選択肢である「上位者通知」のソフトウェアスイッチを操作する。換言すると、オペレータは、入力装置１２のマウスのポインタを「上位者通知」に重ねてクリックする。この操作は、上位者に助力を要請することに相当する。
【００４２】
また、オペレータは、実施不能な解決策のいずれかが有効と思われるときに、第２の選択肢である「Ｌ２」のソフトウェアスイッチを操作する。換言すると、オペレータは、入力装置１２のマウスのポインタをいずれかの「Ｌ２」に重ねてクリックする。この操作は、上位権限レベルＬ２が設定された解決策を代行する申請を行うことに相当する。なお、オペレータは、複数の「Ｌ２」のソフトウェアスイッチを操作することもできる。
【００４３】
さらに、オペレータは、実施可能な解決策のいずれかが有効と思われるときに、第３の選択肢として解決策に着手する。換言すると、オペレータは、ソフトウェアスイッチを操作することなく、通常権限レベルＬ１が設定された解決策の実施に進む。
【００４４】
図２のステップＳ６で、上位者通知部５３は、「上位者通知」のソフトウェアスイッチの操作の有無を判定する。操作が有った場合のステップＳ７で、上位者通知部５３は、オペレータの要請に対応して、上位権限レベルＬ２を有する上位者に問題事象の発生を通知するとともに、助力を依頼する。この通知は、電子メールで上位者用の第２パソコン３２に送信される。
【００４５】
要請を受けて、上位者が入力装置１２または第２パソコン３２からログイン処理を行うと、処理フローの実行はステップＳ３に戻される。２度目のステップＳ３で、基板生産管理装置１は、上位者が対処作業を実施する作業者であると認識する。２度目の権限認証ステップＳ４で、権限認証部５１は、上位者の実施権限レベルを上位権限レベルＬ２と認証する。
【００４６】
２度目の解決策通知ステップＳ５で、解決策通知部５２は、上位権限レベルＬ２に見合った通知をする。上位権限レベルＬ２に見合った通知は、表示装置１１および第２パソコン３２の少なくとも一方に表示される。上位権限レベルＬ２に見合った通知でも、図４の画面例が表示されるが、「上位者通知」のソフトウェアスイッチおよび「Ｌ２」のソフトウェアスイッチは表示されない。また、上位者が対処作業を実施する場合、ステップＳ６からステップＳ１２は不要となり、処理フローの実行は直ちにステップＳ１３に進められる。
【００４７】
ステップＳ６で「上位者通知」の操作が無かった場合のステップＳ８で、代行申請部５４は、「代行申請」の操作、すなわち「Ｌ２」のソフトウェアスイッチの操作の有無を判定する。操作が有った場合の代行申請ステップＳ９で、代行申請部５４は、オペレータが実施不能な解決策を代行する申請をした旨を上位者に通知する。この通知は、電子メールで上位者用の第２パソコン３２に送信される。上位者は、代行を承認する否かの回答を電子メールで代行承認部５５に返信する。
【００４８】
ステップＳ１０で、代行承認部５５は、「代行申請」が承認されたか否かを判定する。「代行申請」が承認された場合の代行承認ステップＳ１１で、代行承認部５５は、操作した「Ｌ２」に対応するNo.の解決策の代行を許可する。この許可は、例えば、当該No.の解決策の「Ｌ２」に代えて「代行許可」と表示することで、オペレータに伝えられる。
【００４９】
また、「代行申請」が承認されなかった場合のステップＳ１２で、代行承認部５５は、操作した「Ｌ２」に対応するNo.の解決策の代行を却下する。この却下は、例えば、当該No.の解決策の「Ｌ２」に代えて「代行却下」と表示することで、オペレータに伝えられる。ステップＳ１２の後、処理フローの実行は解決策通知ステップＳ５に戻される。２度目の解決策通知ステップＳ５で、オペレータは、前述した３つの選択肢の採否を再度検討できる。
【００５０】
上位者がログイン処理を行って２度目の解決策通知ステップＳ５が終了した後、および、ステップＳ８で「代行申請」の操作が無かった場合、および、代行承認ステップＳ１１の後、処理フローの実行はステップＳ１３に進められる。上位者またはオペレータは、図４に例示される解決策の一覧表を参考にして、解決策を順次実施する。このとき、複数の解決策の効果率が一目でわかるので、対処作業が効率的に実施される。対処作業の実施によって問題事象が解消されると、処理フローの実行は図３の効果量収集ステップＳ１４に進められる。
【００５１】
効果量収集ステップＳ１４で、効果量収集部５６は、対処作業を行った作業者の実施権限レベル、実施された解決策、および実施された解決策によって得られた効果量を対応付けて収集する。ここで、解決策は複数である場合が多く、効果量の大小に関係なく実施された全ての解決策が対象となる。また、効果量は、数値化されて評価される必要が有り、例えば、１から０の範囲で評価される。効果量が１である場合、当該の解決策だけで問題事象を完全に解消できたことを意味する。また、効果量が０である場合、当該の解決策は問題事象の解消に全く寄与しなかったことを意味する。効果量は、複数の解決策に分配されてもよい。
【００５２】
次のステップＳ１５で、効果率学習部５７は、作業者の実施権限レベルの高低に応じて学習係数αの大小を設定する。次のステップＳ１６で、効果率学習部５７は、得られた効果量に学習係数αを乗じて解決策データベース１４の効果率にフィードバックすることにより、実施された解決策の効果率を修正する。ステップＳ１５およびステップＳ１６は、本発明の効果率学習ステップに相当する。ステップＳ１６の後、処理フローの実行は最初に戻される。
【００５３】
図５および図６は、効果率学習部５７の機能を模式的に説明する図であり、図５は上位者が対処作業を実施した場合を例示し、図６はオペレータが対処作業を実施した場合を例示している。図５および図６における問題事象は、図４に示された「電子部品が見つからない」である。
【００５４】
図５に示されるように、上位者は、まずNo.４の解決策であるフィーダ確認（吸着位置のずれ確認）を実施し、次にNo.２２の解決策である部品データの編集を実施して、問題事象を解消した。上位者は、有効なNo.４およびNo.２２の解決策の各効果量を適宜決定する。効果率学習部５７は、上位者の上位権限レベルＬ２に応じて、学習係数αを１に設定する。さらに、効果率学習部５７は、有効なNo.４およびNo.２２の解決策の各効果量に学習係数α（＝１）を乗じ、解決策データベース１４の効果率Ｅ４、Ｅ２２にフィードバックする。
【００５５】
また、図６に示されるように、オペレータは、１番目にNo.９の解決策であるフィーダの交換を実施し、２番目にNo.１８の解決策であるノズルの交換について代行の承認を受けて実施した。それでも、問題事象が解消しないので、オペレータは、上位者に相談してNo.４およびNo.２２の解決策を実施し、問題事象を解消した。このように経験の浅いオペレータは、無駄なNo.９およびNo.１８の解決策を実施しがちである。
【００５６】
オペレータは、無駄であったNo.９およびNo.１８の解決策の各効果量を０と決定し、有効であったNo.４およびNo.２２の解決策の各効果量を適宜決定する。効果率学習部５７は、オペレータの通常権限レベルＬ１に応じて、学習係数αを０．１に設定する。さらに、効果率学習部５７は、No.９、No.１８、No.４、およびNo.２２の解決策の各効果量に学習係数α（＝０．１）を乗じ、解決策データベース１４の効果率Ｅ９、Ｅ１８、Ｅ４、Ｅ２２にフィードバックする。
【００５７】
効果率学習部５７は、或る解決策について、過去に実施された複数回の効果量を平均化して効果率を求める。このとき、学習係数αを考慮した加重平均値が求められるので、上位者が実施した精度の高い解決策は、オペレータが実施した解決策の１０倍の重みで効果率に反映される。これにより、精度の高い解決策が重点的にナレッジ化されて効果率の精度が高められ、問題事象の早期の解消に寄与できる。
【００５８】
例えば、今回有効であったNo.４およびNo.２２の解決策の各効果率Ｅ４、Ｅ２２は、上位者の実施によって大幅に高く修正され、オペレータの実施によってわずかに高く修正される。また、今回無駄であったNo.９およびNo.１８の各効果率Ｅ９、Ｅ１８は、オペレータの実施によってわずかに低く修正される。修正された各効果率Ｅ４、Ｅ２２、Ｅ９、Ｅ１８は、次回の解決策通知ステップＳ５に反映される。
【００５９】
（３．実施形態の基板生産管理装置１の態様および効果）
実施形態の基板生産管理装置１は、電子部品を実装した基板を生産する基板生産ライン２を管理する基板生産管理装置１であって、基板生産ライン２で発生し得てかつ対処作業を必要とする問題事象、対処作業の候補となる解決策、および解決策を実施してよい作業者に設定された権限レベルである設定権限レベルを対応付けて記憶した解決策記憶部（解決策データベース１４）と、対処作業を実施する作業者が有する権限レベルである実施権限レベルを認証する権限認証部５１と、問題事象が発生したときに、実施権限レベル以下の設定権限レベルに対応する実施可能な解決策と、実施権限レベルを超えた設定権限レベルに対応する実施不能な解決策と、を分けて通知する解決策通知部５２と、を備えた。
【００６０】
これによれば、解決策通知部５２は、問題事象が発生したときに、作業者であるオペレータの通常権限レベルＬ１と解決策の設定権限レベルとを比較して、オペレータが実施可能な通常権限レベルＬ１の解決策（No.１〜１４およびNo.２４の解決策）と、オペレータが実施不能な上位常権限レベルＬ２の解決策（No.１５〜２３およびNo.２５の解決策）とを分けて通知する。ここで、実施に慎重を期すべき解決策は、高い上位権限レベルＬ２が設定されている。したがって、経験の浅いオペレータが実施に慎重を期すべき解決策を軽率に実施して別の問題事象を引き起こしてしまうおそれがなく、結果として問題事象の早期の解消に寄与できる。
【００６１】
さらに、実施形態の基板生産管理装置１は、作業者であるオペレータの要請に応じて、実施不能な解決策に対応する上位権限レベルＬ２を有する上位者に問題事象の発生を通知する上位者通知部５３をさらに備えた。これによれば、オペレータは、問題事象が難しく独力での解消が困難と思われるときに、上位者に助力を要請できる。したがって、オペレータが難しい問題事象をひとりで抱え込むことがなくなり、問題事象の早期の解消に寄与できる。
【００６２】
さらに、実施形態の基板生産管理装置１は、作業者であるオペレータが実施不能な解決策を代行する申請をしたとき、実施不能な解決策に対応する上位権限レベルＬ２を有する上位者に申請を通知する代行申請部５４と、上位者が申請を承認したとき、オペレータが実施不能な解決策を代行することを許可する代行承認部５５と、をさらに備えた。これによれば、オペレータは、実施不能な解決策のいずれかが有効と思われるときに、上位者の承認を受けてその解決策を代行できる。したがって、上位者が現場に出向いてその解決策を実施する必要がなくなり、問題事象の早期の解消に寄与できる。
【００６３】
また、実施形態の基板生産管理装置１は、電子部品を実装した基板を生産する基板生産ライン２を管理する基板生産管理装置であって、基板生産ライン２で発生し得てかつ対処作業を必要とする問題事象、対処作業の候補となる解決策、および解決策が問題事象の解消に寄与する効果率を対応付けて記憶した解決策記憶部（解決策データベース１４）と、対処作業を実施する作業者が有する権限レベルである実施権限レベルを認証する権限認証部５１と、問題事象が発生したときに、作業者の実施権限レベル、作業者によって実施された解決策、および実施された解決策によって得られた効果量を対応付けて収集する効果量収集部５６と、作業者の実施権限レベルの高低に応じて学習係数αの大小を設定し、得られた効果量に学習係数αを乗じて効果率にフィードバックすることにより、実施された解決策の効果率を修正する効果率学習部５７と、を備えた。
【００６４】
これによれば、効果率学習部５７は、作業者の実施権限レベルの高低に応じて学習係数αの大小を設定し、得られた効果量に学習係数αを乗じてフィードバックすることにより、実行された解決策の効果率を修正する。つまり、実施権限レベルの高い上位者が実施した精度の高い解決策に大きな学習係数α（＝１）を乗じ、実施権限レベルの低いオペレータが実施した精度の低い解決策に小さな学習係数α（＝０．１）を乗じて、効果率を修正する。これにより、精度の高い解決策が重点的にナレッジ化されて効果率の精度が高められ、問題事象の早期の解消に寄与できる。
【００６５】
また、実施形態の基板生産管理方法は、電子部品を実装した基板を生産する基板生産ライン２を管理する基板生産管理方法であって、基板生産ライン２で発生し得てかつ対処作業を必要とする問題事象、対処作業の候補となる解決策、および解決策を実施してよい作業者に設定された権限レベルである設定権限レベルを対応付けて記憶する解決策記憶ステップ（解決策データベース１４を予め構築しておくステップ）と、対処作業を実施する作業者が有する権限レベルである実施権限レベルを認証する権限認証ステップＳ４と、問題事象が発生したときに、実施権限レベル以下の設定権限レベルに対応する実施可能な解決策と、実施権限レベルを超えた設定権限レベルに対応する実施不能な解決策と、を分けて通知する解決策通知ステップＳ５と、を備えた。
【００６６】
これによれば、実施形態の基板生産管理装置１と同様に、経験の浅いオペレータが実施に慎重を期すべき解決策を軽率に実施して別の問題事象を引き起こしてしまうおそれがないので、結果として問題事象の早期の解消に寄与できる。
【００６７】
また、実施形態の基板生産管理方法は、電子部品を実装した基板を生産する基板生産ライン２を管理する基板生産管理方法であって、基板生産ライン２で発生し得てかつ対処作業を必要とする問題事象、対処作業の候補となる解決策、および解決策が問題事象の解消に寄与する効果率を対応付けて記憶する解決策記憶ステップ（解決策データベース１４を予め構築しておくステップ）と、対処作業を実施する作業者が有する権限レベルである実施権限レベルを認証する権限認証ステップＳ４と、問題事象が発生したときに、作業者の実施権限レベル、作業者によって実施された解決策、および実施された解決策によって得られた効果量を対応付けて収集する効果量収集ステップＳ１４と、作業者の実施権限レベルの高低に応じて学習係数αの大小を設定し、得られた効果量に学習係数αを乗じて効果率にフィードバックすることにより、実施された解決策の効果率を修正する効果率学習ステップ(ステップＳ１５、Ｓ１６)と、を備えた。
【００６８】
これによれば、実施形態の基板生産管理装置１と同様に、精度の高い解決策が重点的にナレッジ化されて効果率の信頼性が高められるので、問題事象の早期の解消に寄与できる。
【００６９】
（４．実施形態の応用および変形）
なお、実施形態の基板生産管理装置１は基板生産ライン２の全体を管理するが、これに限定されない。すなわち、基板生産管理装置１は、基板生産ライン２を構成する一部の基板生産装置、例えば電子部品装着機２３、２４のみを管理する構成であってもよい。また、パソコン３１、３２は、無線通信によって接続される携帯端末とすることも可能である。
【００７０】
さらになお、権限レベルは３段階以上とすることもできる。また、実施形態で説明した解決策通知部５２の通知方法や、通知内容を表示した画面例は、適宜変更することができる。さらに、上位者の学習係数α（＝１）およびオペレータの学習係数α（＝０．１）は一例であり、上位者およびオペレータの熟練度に応じて異なる学習係数αを設定してもよい。本発明は、その他にも様々な応用や変形が可能である。
【符号の説明】
【００７１】
１：基板生産管理装置、  １１：表示装置、  １２：入力装置、  １３：メモリ装置、  １４：解決策データベース（解決策記憶部）、  ２：基板生産ライン、  ２１：はんだ印刷機、  ２２：はんだ検査機、  ２３：第１電子部品装着機、  ２４：第２電子部品装着機、  ２５：基板外観検査機、  ２６：リフロー機、  ２７：ローリングタワー、  ３１：第１パソコン、  ３２：第２パソコン、  ５１：権限認証部、  ５２：解決策通知部、  ５３：上位者通知部、  ５４：代行申請部、  ５５：代行承認部、  ５６：効果量収集部、  ５７：効果率学習部、  α：学習係数
【図１】
2018020556.tif 000003
【図２】
2018020556.tif 000004
【図３】
2018020556.tif 000005
【図４】
2018020556.tif 000006
【図５】
2018020556.tif 000007
【図６】
2018020556.tif 000008
【国際調査報告】
2018020556.tif 000009
2018020556.tif 000010
2018020556.tif 000011
2018020556.tif 000012